(57)【要約】      （修正有）【課題】組合せの位置決め構造が強化され、耐久性がある電気コネクタアセンブリの提供。【解決手段】長方形の絶縁本体１０が前方の挿入部１１と後方のベース部１２を具え、ベース部後端面に列をなす挿入孔１４が設けられ、且つ前向きに挿入部の挿入溝１３に連通し、ベース部の前部上面に列をなす係止孔１５とその後方の列をなす弾性係止ブロック１６が設置され、下向きに挿入孔に連通し、列をなすよう離間配置された端子２０が前部の水平状の接触片２２と、中部のストッパ片２５と、後部の導線挟持用の挟持部２４を具え、前向きに絶縁本体の挿入溝と挿入孔に挿入され、且つそのストッパ片がベース部の係止孔に係合し、更に選択的に金属ベース４０と両側の係止手段が組み合わされる。【選択図】図４
0003107181.tif 000002
【実用新案登録請求の範囲】
【請求項１】
長方形の絶縁本体を具え、該絶縁本体が前方の挿入部と後方のベース部を具え、ベース部後端面に列をなす挿入孔が設けられ、且つ該挿入孔が前向きに挿入部の挿入溝に連通し、ベース部の前部上面に列をなす係止孔とその後方の列をなす弾性係止ブロックが設置され、該係止孔が下向きに挿入孔に連通し、列をなすよう離間配置された端子が前部の水平状の接触片と、中部のストッパ片と、後部の導線挟持用の挟持部を具え、前向きに絶縁本体の挿入溝と挿入孔に挿入され、且つそのストッパ片がベース部の係止孔に係合したことを特徴とする、電気コネクタアセンブリ。
【請求項２】
請求項１記載の電気コネクタアセンブリにおいて、端子の片体中部両側に上向きに折られた一対のストッパ片が設けられたことを特徴とする、電気コネクタアセンブリ。
【請求項３】
請求項２記載の電気コネクタアセンブリにおいて、端子の一対のストッパ片の上部が相互に対向するよう内向きに傾斜し、一対のストッパ片の上端が相互に当接することを特徴とする、電気コネクタアセンブリ。
【請求項４】
請求項１記載の電気コネクタアセンブリにおいて、ベース部の両側近くに上下に貫通する位置決め孔が設けられ、絶縁本体に対応する形状の金属ベースの両側の位置決め片が上向きにベース部の位置決め孔に挿入されたことを特徴とする、電気コネクタアセンブリ。
【請求項５】
請求項４記載の電気コネクタアセンブリにおいて、位置決め孔の上端の一側より凹孔が延伸されて位置決め片の上折片が該凹孔に嵌合し位置決めされたことを特徴とする、電気コネクタアセンブリ。
【請求項６】
請求項１記載の電気コネクタアセンブリにおいて、ベース部に挿入部の両側に延伸された前挿入棒が設けられ、ベース部の両側の底凹部に前端のフックと後端の押圧部を具えた係止手段がそれぞれ枢設されたことを特徴とする、電気コネクタアセンブリ。
【考案の詳細な説明】
【技術分野】
【０００１】
本考案は一種の電気コネクタアセンブリに係り、特に、ノートブック型コンピュータの液晶ディスプレイに適用される電気コネクタアセンブリに関する。
【背景技術】
【０００２】
現在、ノートブック型コンピュータ及びその液晶ディスプレイは薄型化に向けて発展しており、これによりカードスロットインタフェース形式の電気コネクタによる快速で確実な接続が必要である。
【０００３】
一般にカードスロットインタフェース形式の電気コネクタの構造は、基本的にその絶縁本体がベース部と薄いカートリッジ部、導線を挟持し列を成すよう挿入された端子を具え、並びに絶縁本体に相互に適合する形状の金属ベースが選択的に組み合わされる。
【０００４】
しかしその絶縁本体、線挟持型端子と金属ベース相互の間はゆるんで脱落が発生しやすく、並びに端子の位置決め構造強度は理想的でなく、改善の必要がある。
【考案の開示】
【考案が解決しようとする課題】
【０００５】
本考案の目的は、一種の電気コネクタアセンブリを提供することにあり、それは、その絶縁本体は確実に列を成す線挟持型端子を挿入でき、更に金属ベースと両側の係止手段を組合せ可能で、組立の位置決め構造強度を確実に高めることができ、並びに強固で耐久性があり、産業上の利用価値を有するものとする。
【課題を解決するための手段】
【０００６】
請求項１の考案は、長方形の絶縁本体を具え、該絶縁本体が前方の挿入部と後方のベース部を具え、ベース部後端面に列をなす挿入孔が設けられ、且つ該挿入孔が前向きに挿入部の挿入溝に連通し、ベース部の前部上面に列をなす係止孔とその後方の列をなす弾性係止ブロックが設置され、該係止孔が下向きに挿入孔に連通し、列をなすよう離間配置された端子が前部の水平状の接触片と、中部のストッパ片と、後部の導線挟持用の挟持部を具え、前向きに絶縁本体の挿入溝と挿入孔に挿入され、且つそのストッパ片がベース部の係止孔に係合したことを特徴とする、電気コネクタアセンブリとしている。
請求項２の考案は、請求項１記載の電気コネクタアセンブリにおいて、端子の片体中部両側に上向きに折られた一対のストッパ片が設けられたことを特徴とする、電気コネクタアセンブリとしている。
請求項３の考案は、請求項２記載の電気コネクタアセンブリにおいて、端子の一対のストッパ片の上部が相互に対向するよう内向きに傾斜し、一対のストッパ片の上端が相互に当接することを特徴とする、電気コネクタアセンブリとしている。
請求項４の考案は、請求項１記載の電気コネクタアセンブリにおいて、ベース部の両側近くに上下に貫通する位置決め孔が設けられ、絶縁本体に対応する形状の金属ベースの両側の位置決め片が上向きにベース部の位置決め孔に挿入されたことを特徴とする、電気コネクタアセンブリとしている。
請求項５の考案は、請求項４記載の電気コネクタアセンブリにおいて、位置決め孔の上端の一側より凹孔が延伸されて位置決め片の上折片が該凹孔に嵌合し位置決めされたことを特徴とする、電気コネクタアセンブリとしている。
請求項６の考案は、請求項１記載の電気コネクタアセンブリにおいて、ベース部に挿入部の両側に延伸された前挿入棒が設けられ、ベース部の両側の底凹部に前端のフックと後端の押圧部を具えた係止手段がそれぞれ枢設されたことを特徴とする、電気コネクタアセンブリとしている。
【考案の効果】
【０００７】
本考案は上述の絶縁本体に確実に列をなす線挟持型端子を挿入でき、更に金属ベースと両側の係止手段を組合せ可能で、組立位置決め強度を高めることができ、並びに強固で耐用性があり、産業上の利用価値を有している。
【考案を実施するための最良の形態】
【０００８】
図１から図４に示されるように、本考案の電気コネクタは、長方形の絶縁本体１０を具え、該絶縁本体１０は、前方の挿入部１１及び後方のベース部１２を具え、該ベース部１２の後端面に列をなす挿入孔１４が設けられ、並びに該挿入孔１４が挿入部１１の対応する開放式の挿入溝１３に連通し、列をなす線挟持型端子２０を後ろから前に挿入し位置決めするのに供される。
【０００９】
ベース部１２の前部上面に列をなす係止孔１５と、その後ろの列をなす弾性係止ブロック１６が設けられ、並びに係止孔１５が下向きに挿入孔１４に連通する。
【００１０】
列をなす端子２０にはストライプ状片体２１が設けられ、該片体２１の前部に水平状の接触片２２が設けられ、後部両側に二対の上向きの挟持部２３、２４が設けられ、内向きに導線３０の外絶縁層３１及び内裸線３２を挟持する。上述の端子２０は片体２１の中部両側が上向きに折られて一対のストッパ片２５が形成され、該ストッパ片２５の前端に前斜めガイド辺２７が設けられ、後端に後ろ直立ストッパ辺２８が設けられ、直接挿入用位置決め部を構成している。更に一対のストッパ片２５の上部２６は対向するよう内向きに傾斜するよう折り曲げられ、両者の上端が相互に当接し、良好な位置決め構造を形成している。
【００１１】
実際の組付作業時には、列をなす端子２０が前向きに絶縁本体１０の挿入溝１３、挿入孔１４中に挿入され、端子２０の一対のストッパ片２５が先に弾性係止ブロック１６に接触し押動し、並びに続いて前に挿入されると、一対のストッパ片２５が確実に係止孔１５に嵌入し、強固に位置決めされる。
【００１２】
図４、５に示されるように、絶縁本体１０の底部に対応形状の金属ベース４０を組合せ可能である。絶縁本体１０のベース部１２の両側に接近する部分に上下に貫通する位置決め孔１７が設けられ（図６）、金属ベース４０にこれに対応して位置決め片４１とそのフック４２が設けられ、図７に示されるように、金属ベース４０の位置決め片４１のフック４２が位置決め孔１７に挿入される。好ましい実施例では、各位置決め孔１７の上端の一側より凹孔１８が延伸され、位置決め片４１の上部は図８に示されるように折り曲げられて上折片４３とされ、確実に凹孔１８表面に当接し位置決めされる。
【００１３】
図９に示される実施例では、絶縁本体１０１が比較的大きな厚さに形成され、金属ベースを増設する必要がない。
【００１４】
図１０に示される実施例では、絶縁本体１００のベース部１２０において挿入部１１０の両側位置に中空前挿入棒１２１が延設され、対応するコネクタ（図示せず）との挿嵌に供される。ベース部１２０にこれに対応して底凹部１２２と中間部分支持棒１２３が設けられ、係止手段５０の対応する貫通孔５２に枢設され、並びに位置決め孔１２５を利用し対応する金属ベースが結合される。図１０、１１に示されるように、該係止手段５０は金属棒片を折り曲げて形成されその前端のフック５１が中空前挿入棒１２１内に挿通され、並びに中空前挿入棒１２１の内側孔よりフックが露出し、対応するコネクタとの係合に供される。係止手段５０の後端の押圧部５３より弾性アーム５４が延伸され、底凹部１２２の内側壁１２４に当接する。内向きに押圧部５３が押圧される時、係止手段５０は図１２に示される揺動を発生し、フック５１が中空前挿入棒１２１内に退く。
【図面の簡単な説明】
【００１５】
【図１】本考案の電気コネクタの立体図である。
【図２】図１の局部拡大図である。
【図３】図１の端子の導線未挟持の時の立体図である。
【図４】図１の断面図である。
【図５】図４の金属ベースの立体図である。
【図６】図２の絶縁本体の立体拡大図である。
【図７】図１の絶縁本体の金属ベース初期挿嵌の断面図である。
【図８】図７の挿嵌完成の状態図である。
【図９】本考案の別の実施例の絶縁本体の立体図である。
【図１０】本考案の更に別の実施例の絶縁本体に係止手段を取り付けた局部拡大底面図である。
【図１１】図１０の係止手段の立体図である。
【図１２】図１０の使用状態図である。
【符号の説明】
【００１６】
１０  絶縁本体          １１  挿入部              １２  ベース部
１３  挿入溝            １４  挿入孔              １５  係止孔
１６  弾性係止ブロック  １７  位置決め孔          １８  凹孔
２０  端子              ２１  片体                ２２  接触片
２３  挟持部            ２４  挟持部              ２５  ストッパ片
２６  上部              ２７  前斜めガイド辺      ２８  後ろ直立ストッパ辺
３０  導線              ３１  外絶縁層            ３２  内裸線
４０  金属ベース        ４１  位置決め片          ４２  フック
４３  上折片
５０  係止手段          ５１  フック              ５２  貫通孔
５３  押圧部            ５４  弾性アーム
１００  絶縁本体        １０１  絶縁本体          １１０  挿入部
１２０  ベース部        １２１  前挿入棒          １２２  底凹部
１２３  支持棒          １２４  内側壁            １２５  位置決め孔
【図１】
0003107181.tif 000003
【図２】
0003107181.tif 000004
【図３】
0003107181.tif 000005
【図４】
0003107181.tif 000006
【図５】
0003107181.tif 000007
【図６】
0003107181.tif 000008
【図７】
0003107181.tif 000009
【図８】
0003107181.tif 000010
【図９】
0003107181.tif 000011
【図１０】
0003107181.tif 000012
【図１１】
0003107181.tif 000013
【図１２】
0003107181.tif 000014